(57)【要約】【課題】  モデムが何らかの理由によりハングアップ等の異常状態になった場合に、モデムを初期状態に復帰させて、遠隔監視を可能とする。【解決手段】  上り光ファイバを介して送信された光信号を電気信号に変換する上り光・電気変換部１３と、電気信号を光信号に変換して下り光ファイバを介して送信する下り電気・光変換部１２と、装置の異常を検出して、監視装置に異常をアラーム通知する監視制御部１９と、監視装置と光伝送装置とを接続するモデム２１と、モデム２１に電源を供給するモデム用電源供給装置２０とを有し、監視制御部１９が、モデム２１のハングアップ等の異常状態になったことを検出すると、モデム用電源供給装置２０の動作を停止させることにより、モデム２１を初期状態に復帰させる。【選択図】  図１
2005102054.tif 000002
【特許請求の範囲】
【請求項１】
監視装置に対して異常を通知する光伝送装置であって、
上り光ファイバを介して送信された光信号を電気信号に変換する光・電気変換手段と、
電気信号を光信号に変換して下り光ファイバを介して送信する電気・光変換手段と、
装置の異常を検出して、前記監視装置に前記異常をアラーム通知する監視制御手段と、
前記監視装置と前記光伝送装置とを接続するモデムと、
前記モデムに電源を供給する電源供給手段とを有し、
前記監視制御手段が、前記モデムが異常状態になったことを検出すると、前記電源供給手段の動作を停止させることにより、前記モデムを初期状態に復帰させることを特徴とする光伝送装置。
【発明の詳細な説明】
【技術分野】
【０００１】
本発明は、光伝送装置に関し、特に、制御部から遠隔監視装置に対してアラームを出力する光伝送装置に関する。
【背景技術】
【０００２】
光伝送システムは、図３に示すように、親局装置（ＭＵ）３０と複数の子局装置（ＳＵ）３１〜３４とで構成され、ＭＵ３０と複数のＳＵ３１〜３４とは光ファイバで接続されており、この光ファイバを介して親局装置３０と子局装置３１〜３４との間で通信が行われている。
【０００３】
次に、光伝送システムの基本的動作について説明する。
図４に示すように、親局装置（ＭＵ）３０は、基地局（図示せず）からの電気信号（ＲＦ信号）を所定のレベルまで増幅するＭＵ下りＲＦ信号増幅部（ＡＭＰ）４１と、電気信号を光信号に変換するＭＵ下り電気・光変換部（ＥＯ）４２と、光信号を電気信号に変換するＭＵ上り電気・光変換部（ＯＥ）４３と、ＯＥ４３で変換された電気信号を所定のレベルまで増幅するＭＵ上りＲＦ信号増幅部４４と、各部を制御し、自装置（親局装置３０）の状態及び子局装置３１の状態を監視するするＭＵ監視制御部（ＣＯＮＴ）４５で構成されている。
【０００４】
子局装置（ＳＵ）３１は、親局装置３０から送信された光信号を電気信号に変換するＳＵ下り光・電気変換部（ＯＥ）５１と、ＯＥ５１で変換された電気信号を所定のレベルまで増幅するＳＵ下りＲＦ信号増幅部（ＡＭＰ）５２と、電気信号を所定のレベルまで増幅するＳＵ上りＲＦ信号増幅部（ＡＭＰ）５３と、電気信号を光信号に変換するＳＵ上り電気・光変換部（ＥＯ）５４と、各部を制御し、自装置（子局装置３１）の状態を監視するするＳＵ監視制御部（ＣＯＮＴ）５５で構成されている。
上記親局装置３０及び子局装置３１は、下り光ファイバ５６と上り光ファイバ５７とで接続されている。
【０００５】
上記親局装置３０は、基地局（図示せず）からの電気信号を受信すると、ＡＭＰ４１で所定のレベルまで増幅した電気信号を出力し、この電気信号をＥＯ４２で光信号に変換して下り光ファイバ５６を介して子局装置５０へ送信する。子局装置３１は、下り光ファイバ５６を介して受信した光信号をＯＥ５１で電気信号に変換し、この変換された電気信号をＡＭＰ５２で所定のレベルまで増幅して、この増幅した電気信号を不感地帯側へ出力する。
【０００６】
また、上記子局装置３１は、不感地帯側からの電気信号を受信すると、この電気信号をＡＭＰ５３で所定のレベルまで増幅し、この増幅された電気信号をＥＯ５４で光信号に変換して上り光ファイバ５７を介して親局装置３０へ送信する。親局装置３０は、上り光ファイバ５７を介して受信した光信号をＯＥ４３で電気信号に変換し、この変換された電気信号をＡＭＰ４４で所定のレベルまで増幅して、この増幅した電気信号を基地局へ出力する。
このようにして、親局装置と子局装置との間では光ファイバを介して通信が行われる。
【０００７】
また、親局装置３０と子局装置３１〜３４との間では、監視及び制御に関する情報のやり取りができるように構成されている（特許文献１参照）。
具体的は、監視情報や制御情報に関する信号をＲＦ信号とは別の周波数帯を使用し、ＲＦ信号に重畳して、光ファイバを介して通信を行うものである。
【０００８】
【特許文献１】特開平１１−２３４２００号公報
【０００９】
また、このような光伝送システムでは、親局装置及び子局装置を監視することが行われている（例えば、特許文献２参照）。
具体的には、光伝送システムでは、親局装置及び子局装置では、自装置（当該親局装置及び子局装置）の運用状態を監視して、異常等のアラームがある場合にはその旨を上位局へ報告する。
【００１０】
また、光伝送システムでは、アラームを通知するために、例えば親局装置に接続されている上位局である遠隔監視装置に対して、一般の電話網を介してモデムにより接続する方法が用いられている。
【００１１】
【特許文献２】特開２０００−１５１５１１
【発明の開示】
【発明が解決しようとする課題】
【００１２】
しかしながら、従来の光伝送システムでは、遠隔監視装置にアラームを通知するためには、親局装置にモデムを接続し、一般の電話網を介して通知する必要があるが、このモデムが何らかの理由によりハングアップしてしまうと、遠隔監視装置による監視が不能な状態になってしまう。このような状態となったモデムを正常な状態の初期状態に復帰させるためには、モデムの電源を再投入する必要があり、親局装置が設置されている局舎まで保守員等が出向かなければならなかった。
【００１３】
本発明は、このような従来の課題を解決するために為されたものであり、モデムがハングアップのような異常な状態となった場合には、親局装置等の光伝送装置からの制御により、モデムの電源を再投入することが可能な光伝送装置を提供することにある。
【課題を解決するための手段】
【００１４】
本発明の光伝送装置は、上り光ファイバを介して送信された光信号を電気信号に変換する光・電気変換手段と、電気信号を光信号に変換して下り光ファイバを介して送信する電気・光変換手段と、装置の異常を検出して、監視装置に異常をアラーム通知する監視制御手段と、遠隔監視装置と光伝送装置とを接続するモデムと、モデムに電源を供給する電源供給手段とを有し、監視制御手段が、モデムがハングアップ等の異常状態になったことを検出すると、電源供給手段の動作を停止させることにより、モデムを初期状態に復帰させることを特徴としている。
【発明の効果】
【００１５】
本発明の光伝送装置では、モデムがハングアップ等の異常状態となって、遠隔監視が不能に陥った場合でも、モデムへの電源供給を停止することにより、モデムを初期状態に戻し、遠隔監視を復旧させることができる。
【発明を実施するための最良の形態】
【００１６】
本発明に係る一実施例を図面を参照して説明する。
図１は、本発明の光伝送システムの親局装置（光伝送装置）の構成例を示すブロック図である。
本例の光伝送システムの親局装置１０は、電気信号（ＲＦ信号）を所定のレベルに増幅する下りＲＦ信号増幅部（ＡＭＰ）１１と、電気信号を光信号に変換する下り電気・光変換部（ＥＯ）１２と、光信号を電気信号に変換する上り光・電気変換部（ＯＥ）１３と、変換された電気信号を所定のレベルまで増幅する上りＲＦ信号増幅部（ＡＭＰ）１４と、リレー接点アラーム地気出力部（ＥＸＴ１）１５と、リレー接点アラーム地気出力ポート１６、リレー接点制御地気出力部（ＥＸＴ２）１７と、リレー接点制御地気出力ポート１８と、各部を制御し、自装置（親局装置１０）の状態及び子局装置の状態を監視する監視制御部（ＣＯＮＴ）１９とで構成されている。
【００１７】
また、上記リレー接点制御地気出力ポート１８には、モデム用電源供給装置（ＰＳ）２０を介してモデム（ＭＯＤＥＭ）２１が接続されている。また、リレー接点アラーム地気出力ポート１６は、モデム２１に接続されており、公衆電話回線２２を介して上位装置である遠隔監視装置（図示せず）にアラームの通知を行うように構成されている。
ここで、  上記モデム２１は、モデム用電源供給装置２０から供給される電源で動作を行うように構成されている。
また、制御部１９には監視用の専用端末（ＭＯＮ）２１が接続されるように構成されている。
本例の親局装置１０では、地気出力ポートを２組設け、一方はリレー接点アラーム出力用とし、もう一方をリレー接点制御出力用として用いている。
【００１８】
このように構成された親局装置１０の動作について説明する。
親局装置１０の基本動作については上記に説明したので省略し、ここでは、異常状態にになった場合の動作及びモデム２１がハングアップ等の異常状態となった場合の動作について説明する。
まず、親局装置又は子局装置が異常状態となった場合には、制御部１９は、異常となったことを示す制御信号によりリレー接点アラーム地気出力部１５を動作させ、この制御信号に基づいてリレー接点地気出力部１５は、モデム２１及び公衆電話回線２２を介して遠隔監視装置にアラームを出力するように動作させる。
【００１９】
また、何らかの異常が発生し、親局装置１０の監視制御部１６とモデム２１との通信が不能と判断されたとき、例えば、予め設定された規定時間（タイマ値）以上経過しても無応答の状態が継続した場合、監視制御部１６はモデム１８がハングアップ状態等の異常状態になったと判断し、リレー接点制御地気出力部１７を動作させ、モデム用電源供給装置２０の動作を一時的に停止させる。
そして、モデム２１は、モデム用電源供給装置２０からの電源供給が遮断されるため、リセットがかかり、初期状態に戻り状態復帰する。
【００２０】
また、このリレー接点制御地気出力部１７の出力は、強制的に出力させることもできる。具体的には、親局装置１０に監視用の専用端末（ＭＯＮ）２１を接続し、ＭＯＮ２１からの命令により、リレー接点制御地気出力部１７を動作させ、強制的にモデム用電源供給装置２０のモデム２１に対する電源供給を停止することにより、モデム２１をリセットすることができる。
【００２１】
このようにすることにより、任意の状態でモデム用電源供給装置２０の電源供給を停止させることが可能となり、光伝送システムの通信を停止させることなく、モデム２１をリセットさせることができる。
【００２２】
以上説明したように、本発明の光伝送装置では、モデム２１がハングアップ等の異常状態になった場合でも、親局装置１０にリレー接点制御出力部１７及びモデム用電源供給装置２０を設けることにより、モデム２１に電源供給を停止させることにで容易にモデム２１を初期状態に復帰させることができる。
【００２３】
図２は、リレー接点アラーム地気出力ポート及びリレー接点制御地気出力ポートの回路図である。
リレー接点アラーム地気出力ポート１６及びリレー接点制御地気出力ポート１８の回路図は、親局装置１０の制御部１９からの制御信号が入力される制御信号入力ポート２０１と、トランジスタ２０２と、リレー２０３と、ＮＣ（Normal Close）ポート２０４と、ＮＯ（Normal Open）ポート２０５と、ＣＯＭ（Common）ポート２０６と、第１出力ポート２０７と、第２出力ポート２０８とから構成されている。
【００２４】
この回路は、制御信号に応じて、第１出力ポート２０７と第２出力ポート２０８間のオープン／クローズを切替えて動作をするものである。
また、上述したモデム用電源供給装置２０またはモデム２１は、上記リレー接点アラーム地気出力ポート及びリレー接点制御地気出力ポートの回路の第１出力ポート２０７と第２出力ポート２０８間のオープン／クローズの状態に応じて動作を行うように構成されている。
【００２５】
本発明の実施例では、モデム供給電源を中心に述べたが、モデムに限らずリレー接点出力とのインタフェースを有する装置であれば、光伝送装置から外部にある装置を制御することが可能である。
【図面の簡単な説明】
【００２６】
【図１】本発明の光伝送装置の構成の一例を示す図である
【図２】リレー接点アラーム／制御出力回路の一例を示す図である。
【図３】光伝送システムの構成の一例を示す図である
【図４】光伝送システムの親局装置と子局装置の構成の一例を示す図である。
【符号の説明】
【００２７】
１０…親局装置（光伝送装置）、１１…下りＲＦ信号増幅器（ＡＭＰ）、
１２…下り電気・光変換部（ＥＯ）、１３…上り光・電気変換部（ＯＥ）、
１４…上りＲＦ信号増幅部（ＡＭＰ）、
１５…リレー接点アラーム地気出力部（ＥＸＴ１）、
１６…リレー接点アラーム地気出力ポート、
１７…リレー接点制御地気出力部（ＥＸＴ２）、
１８…リレー接点制御地気出力ポート、１９…監視制御部（ＣＯＮＴ）、
２０…モデム用電源供給装置（ＰＳ）、２１…モデム（ＭＯＤＥＭ）、
２０１…制御信号入力ポート、２０２…トランジスタ、２０３…リレー、
２０４…ＮＣ（Normal Close）ポート、２０５…ＮＯ（Normal Open）ポート、
２０６…ＣＯＭ（Common）ポート、２０７…第１出力ポート、２０８…第２出力ポート
【図１】
2005102054.tif 000003
【図２】
2005102054.tif 000004
【図３】
2005102054.tif 000005
【図４】
2005102054.tif 000006